(57)【特許請求の範囲】
【請求項１】
正面側のみに開口し、使用時に蒸気を排出する電気機器を収納可能な収納部を有するキャビネット本体と、前記収納部の上方で支持材により支持され、前記電気機器より排出された蒸気を前記収納部外に排気する蒸気処理装置と、が設けられた家電収納キャビネットであって、
前記蒸気処理装置の背面側には、前記蒸気処理装置の配線が収納される配線空間が設けられており、該配線空間と、前記収納部とは、仕切板により着脱自在に仕切られていることを特徴とする家電収納キャビネット。
【請求項２】
前記仕切板は、前記キャビネット本体の背面側に向かって下方に傾斜を成して設けられていることを特徴とする請求項１に記載の家電収納キャビネット。
【請求項３】
前記仕切板は、前記キャビネット本体の背面側に配置された背板と、前記蒸気処理装置を支持する前記支持材間に取り付けられていることを特徴とする請求項１または２に記載の家電収納キャビネット。
【請求項４】
前記仕切板の外周端縁部には、前記配線空間と前記収納部間を水密に仕切るシール部材が設けられていることを特徴とする請求項１ないし３のいずれかに記載の家電収納キャビネット。
【請求項５】
前記収納部正面側には、該収納部内に空気を吸入させる通気孔が形成された開閉扉が設けられていることを特徴とする請求項１ないし４のいずれかに記載の家電収納キャビネット。
【発明の詳細な説明】
【技術分野】
【０００１】
本発明は、キャビネット本体の収納部に電気機器を収納可能であり、電気機器より排出された蒸気を収納部外に排気する蒸気処理装置が設けられた家電収納キャビネットに関する。
【背景技術】
【０００２】
従来、内部が前面（正面側）に開口する収納部に形成されており、この収納部内には家庭電気製品（電気機器）を載置するスライド台が収納自在に設けられているとともに、収納部の上方には、家庭電気製品から排出される水蒸気（蒸気）を吸引し、収納部外に排出する蒸気処理部（蒸気処理装置）が設けられている家庭電気製品収納庫（家電収納キャビネット）がある。このような家庭電気製品収納庫においては、蒸気処理部は背面側に配線が接続された配線部を有しており、この配線部は、家庭電気製品から排出される水蒸気に当たらないように、収納部から仕切られているものがある（例えば、特許文献１参照）。
【０００３】
【特許文献１】特開２００７−１８１５４１号公報（第３頁、第１図）
【発明の開示】
【発明が解決しようとする課題】
【０００４】
しかしながら、特許文献１に記載の家庭電気製品収納庫（家電収納キャビネット）にあっては、蒸気処理部（蒸気処理装置）の配線部は収納部から仕切られているために、配線部の点検作業等を行う場合には、蒸気処理部を家庭電気製品収納庫から取り外さなければならないという問題があった。
【０００５】
本発明は、このような問題点に着目してなされたもので、蒸気処理装置を取り外さなくとも、正面側より蒸気処理装置の点検作業を行うことのできる家電収納キャビネットを提供することを目的とする。
【課題を解決するための手段】
【０００６】
前記課題を解決するために、本発明の請求項１に記載の家電収納キャビネットは、
正面側のみに開口し、使用時に蒸気を排出する電気機器を収納可能な収納部を有するキャビネット本体と、前記収納部の上方で支持材により支持され、前記電気機器より排出された蒸気を前記収納部外に排気する蒸気処理装置と、が設けられた家電収納キャビネットであって、
前記蒸気処理装置の背面側には、前記蒸気処理装置の配線が収納される配線空間が設けられており、該配線空間と、前記収納部とは、仕切板により着脱自在に仕切られていることを特徴としている。
この特徴によれば、仕切板を取り外すことで配線空間と収納部を連通させることができるので、蒸気処理装置の点検作業等の際に、蒸気処理装置を家電収納キャビネットから取り外すことなく、家電収納キャビネットの正面側から配線空間にアプローチして蒸気処理装置の配線部の点検作業を行なうことができる。
【０００７】
本発明の請求項２に記載の家電収納キャビネットは、請求項１に記載の家電収納キャビネットであって、
前記仕切板は、前記キャビネット本体の背面側に向かって下方に傾斜を成して設けられていることを特徴としている。
この特徴によれば、収納部内背面側で電気機器より排出された蒸気は、仕切板の傾斜に沿って蒸気処理装置に誘導されるので、収納部内背面側での蒸気の滞留を防ぎ、収納部内の蒸気による結露を減少させることができる。
【０００８】
本発明の請求項３に記載の家電収納キャビネットは、請求項１または２に記載の家電収納キャビネットであって、
前記仕切板は、前記キャビネット本体の背面側に配置された背板と、前記蒸気処理装置を支持する前記支持材間に取り付けられていることを特徴としている。
この特徴によれば、家電収納キャビネットの正面側からの仕切板の着脱を容易に行うことができる。
【０００９】
本発明の請求項４に記載の家電収納キャビネットは、請求項１ないし３のいずれかに記載の家電収納キャビネットであって、
前記仕切板の外周端縁部には、前記配線空間と前記収納部間を水密に仕切るシール部材が設けられていることを特徴としている。
この特徴によれば、電気機器から排出される蒸気が仕切板を超えて配線空間内に浸入することがなくなるので、蒸気処理装置の配線部が蒸気により故障することを防止することができる。
【００１０】
本発明の請求項５に記載の家電収納キャビネットは、請求項１ないし４のいずれかに記載の家電収納キャビネットであって、
前記収納部正面側には、該収納部内に空気を吸入させる通気孔が形成された開閉扉が設けられていることを特徴としている。
この特徴によれば、開閉扉によって収納部が閉塞された状態であっても、蒸気処理装置を運転することで、通気孔から吸入した空気から上方に向かう気流を発生させ、電気機器から排出された蒸気を収納部外に排気することができる。
【発明を実施するための最良の形態】
【００１１】
本発明に係る家電収納キャビネットを実施するための最良の形態を実施例に基づいて以下に説明する。
【実施例】
【００１２】
本発明の実施例を図面に基づいて説明すると、先ず図１は、本発明の実施例における家電収納キャビネットの全体像を示す斜視図であり、図２は、家電収納キャビネットを示す縦断側面図であり、図３は、開閉扉の下端部を示す要部拡大縦断側面図であり、図４は、下方収納部内での気流の流れを示す縦断側面図であり、図５は、下方収納部の開放状態を示す正面図であり、図６は、下方収納部内での仕切板の着脱を示す縦断側面図である。以下、図２、図３、図４および図６の紙面左側を家電収納キャビネットの正面側とし、図５の紙面手前側を家電収納キャビネットの正面側として説明する。
【００１３】
図１の符号１は、本発明の適用された家電収納キャビネットである。この家電収納キャビネット１は、例えば、各家庭のキッチン内に設置されて使用されるキャビネットである。この家電収納キャビネット１は、略筐体形状のキャビネット本体２を備えており、このキャビネット本体２内には、キッチンで使用される炊飯器やコーヒーメーカー等の電気機器が収納可能となっている。
【００１４】
上述の家電収納キャビネット１について図１及び図２に基づき詳述する。この家電収納キャビネット１を構成するキャビネット本体２は、左右の側板３，３と、天板４と、背板５と、により構成されており、正面側に開口を有し、キャビネット本体２内部は、側板３，３と、天板４と、背板５と、により囲まれた収納部６に形成されている。
【００１５】
この収納部６には、上下方向に複数（本実施例では２枚）の棚板７が、側板３，３間に渡設されることで取り付けられている。上方の棚板７によって収納部６は上方収納部６ａと、下方収納部６ｂに分割されている。
【００１６】
更に、図５に示すように、下方収納部６ｂ内の下方の棚板７上面には、左右にスライドレール８，８が設けられている。これらスライドレール８，８間には上面に電気機器を載置可能な、左右幅が収納部６の左右幅よりも短い載置台９が配置されている。尚、この載置台９は、図３に示すように、棚板７との間に間隙１０を形成した状態で、左右のスライドレールによって下方収納部６ｂ内と家電収納キャビネット１の正面外方とを前後移動自在に支持されている。
【００１７】
そして、載置台９の上面には、図２に示すように、電気炊飯器や、電気ポット、コーヒーメーカー等（図示せず）の使用時に熱や蒸気を排出する電気機器が載置可能になっており、上方収納部６ａには電気機器としての電気炊飯器や、電気ポット、コーヒーメーカー等を収納可能となっている。
【００１８】
特に、図４及び図５に示すように、下方収納部６ｂ内の上部の、側板３，３間には、後述の仕切板２０をネジで固定するためのＬ字状の固定金具１２が取り付けられており、この固定金具１２の正面側には、下方収納部６ｂに収納された電気機器から排出される蒸気を吸引した後に、家電収納キャビネット１の正面側に排気を行う蒸気処理装置１３が、側板３，３に取り付けられた正面視Ｌ字形状の支持材１４．１４に、図示しないネジに螺着されることによって支持されている。
【００１９】
この蒸気処理装置１３には、図４に示すように、底面に開口し、下方収納部６ｂ内の蒸気を吸引するための吸入口１３ａと、正面側に開口し、吸入口１３ａから吸引した蒸気を家電収納キャビネット１の正面外方に向けて排出する排気口１３ｂ（図１及び図５参照）が設けられている。また、蒸気処理装置１３内には、蒸気処理装置１３が運転することで回転する排気ファン１３ｃが設けられており、この排気ファン１３ｃが回転することによって吸入口１３ａからの蒸気の吸入と、排気口１３ｂからの蒸気の排気が行われる。
【００２０】
図２に示すように、下方収納部６ｂ内である背板５には、電気機器に電力を供給するための電源コンセント１５が設けられている。そして、この電源コンセント１５からは、キャビネット本体２の背面側から先端部に電源プラグ１６が設けられた電源コード１７が延設されている。この電源プラグ１６が外部の図示しない交流電源に接続されることによって、電気機器に交流電力を供給できるようになっている。
【００２１】
更に、蒸気処理装置１３の後端部は、蒸気処理装置１３に電力を供給する本実施例における配線としての電源コード１８が接続される配線部１３ｄとなっている。この配線部１３ｄに接続された電源コード１８は、背板５に穿設された連通孔５ａから家電収納キャビネット１の外方に延設されることで、外部の図示しない交流電源に接続されている。尚、余剰分の電源コード１８は、蒸気処理装置１３後端部と、背板５と、の間の空間に収納されている。つまり、蒸気処理装置１３後端部と、背板５と、後述する仕切板２０と、で囲まれる空間は、本実施例における配線空間１９を構成している。
【００２２】
この配線空間１９は、下方収納部６ｂ内の電気機器より排出された蒸気が浸入しないよう、着脱自在な仕切板２０によって下方収納部６ｂと仕切られている。具体的には、図６に示すように、配線空間１９と下方収納部６ｂとを仕切る仕切板２０は、固定金具１２からキャビネット本体２の背板５に向かって下方に傾斜を成すように取り付けられる板体であり、その外周端縁部には、側板３，３若しくは背板５に当接することによって配線空間１９と下方収納部６ｂを水密に仕切る本実施例におけるシール部材としてのパッキン２１が設けられている。
【００２３】
また、仕切板２０の上端部は床面と平行となるように正面側に向けて屈曲された水平片２０ａに形成されており、下端部は床面と垂直となるように下方に向けて屈曲された垂直片２０ｂに形成されている。そして、水平片２０ａを固定金具１２の底面に、垂直片２０ｂを背板５の正面にそれぞれ当接させ、ネジによって螺着することで仕切板２０を配線空間１９と下方収納部６ｂ間に取り付けている。尚、仕切板２０には差込片２０ｃを設けずに、水平片２０ａを支持材１４，１４に螺着することで、仕切板２０を配線空間１９と下方収納部６ｂ間に取り付けてもよい。
【００２４】
更に尚、上述したように、仕切板２０の水平片２０ａをＬ字状の固定金具１２の底面に螺着させることによって、配線空間１９を広く取ることができるとともに、仕切板２０の着脱時に固定金具１２が邪魔になることがない。
【００２５】
更に、仕切板２０の水平片２０ａの先端からは、水平片２０ａと垂直な差込片２０ｃが上方に向かって延設されている。この差込片２０ｃは、仕切板２０を配線空間１９と下方収納部６ｂ間に取り付ける際に、蒸気処理装置１３と、固定金具１２間に下方から差し込まれる。尚、このとき、図６に示すように、蒸気処理装置１３の後端部にパッキン２２を設け、差込片２０ｃの正面側にパッキン２２を当接させてから蒸気処理装置１３を支持材１４．１４に固定することによって、蒸気処理装置１３の後端部と固定金具１２間から蒸気が配線空間１９に浸入することを防止している。
【００２６】
図２に示すように、キャビネット本体２には開閉扉２３，２４が上下２つ取り付けられており、棚板７によって分割された上方収納部６ａ及び下方収納部６ｂを開放可能及び閉塞可能となっている。詳しくは、これら開閉扉２３，２４は、上方収納部６ａ及び下方収納部６ｂを閉塞する扉板２３ａ，２４ａの背面の左右端と、キャビネット本体２の左右側板３，３の内側面をリンクアーム２５，２５によって連結することで、上方収納部６ａ及び下方収納部６ｂの上方または下方に退避可能となっている。
【００２７】
また、上方収納部６ａを閉塞する開閉扉２３の扉板２３ａの下端部には、扉板２３ａの左右方向に沿って使用者が収納部６を開放する際に掴む把手２６が取り付けられており、同一の把手２６が、下方収納部６ｂを閉塞する開閉扉２４の扉板２４ａの上端部にも取り付けられている。そして、上方収納部６ａ及び下方収納部６ｂの閉塞時には、把手２６を掴み、開閉扉２３，２４を家電収納キャビネット１の上方または下方に向けて牽引操作することで、上方収納部６ａ及び下方収納部６ｂを正面側から閉塞する。
【００２８】
更に、図３に示すように、下方収納部６ｂを閉塞する開閉扉２４の扉板２４ａの下端部には、家電収納キャビネット１の正面外方と、下方収納部６ｂ内を連通する本実施例における通風孔としての第１通気孔２７と、第２通気孔２８と、が設けられている。これら第１通気孔２７及び第２通気孔２８は、扉板２４ａの左右方向の略全長に亘って設けられたスリットである。
【００２９】
尚、第１通気孔２７及び第２通気孔２８は、扉板２４ａに対して正面側から平行に穿設された後、扉板２４ａの背面側から所定の角度を成して穿設されている。具体的には、図３に示すように、第１通気孔２７は、扉板２４ａ内の途上から所定角度θにて上方に向かって傾斜を成しており、第２通気孔２８は、扉板２４ａ内の途上から所定角度θにて下方に向かって傾斜を成している。更に尚、第１通気孔２７及び第２通気孔２８が成す傾斜角度θは、９０度未満の鋭角であり、第１通気孔２７と第２通気孔２８が成す傾斜角度θは、必要な吸気高さとなるように、第１通気孔２７と第２通気孔２８で個別に相違する角度に設定してもよい。
【００３０】
そして、これら第１通気孔２７及び第２通気孔２８は、下方収納部６ｂが開閉扉２４によって閉塞された状態で蒸気処理装置１３が運転されると、家電収納キャビネット１の正面外方の空気を下方収納部６ｂ内に吸入するようになっている。このとき、下方収納部６ｂ内では、図４に示すように、第１通気孔２７で家電収納キャビネット１の正面外方から吸入した空気によって、載置台９の正面側において、扉板２４ａの背面近傍を上方に向かう本発明における気流としての前方上昇気流３０が発生する。
【００３１】
このため、電気機器から排出された後に下方収納部６ｂの正面側に滞留する蒸気は、前方上昇気流３０によって蒸気処理装置１３の吸入口１３ａまで押し上げられて、下方収納部６ｂ内から排気される。
【００３２】
尚、扉板２４ａの背面側である第１通気孔２７近傍には、第１通気孔２７で上方に向かって所定角度θで吸引した空気を、扉板２４ａの背面側近傍に沿って略垂直方向に上昇する前方上昇気流３０とする整流板２９が設けられている。
【００３３】
また、第２通気孔２８で家電収納キャビネット１の正面外方から吸入した空気によって、載置台９の背面側から上方に向かう本発明における気流としての後方上昇気流３１が発生する。具体的には、後方上昇気流３１は、下方収納部６ｂ内において、第２通気孔２８から下方に向かって所定角度θを成して発生し、棚板７と載置台９の間に形成されている間隙１０を通過して、下方収納部６ｂの後端部である背板５の下端部から、背板５の正面側に沿って上昇する。
【００３４】
このため、電気機器から排出された後に下方収納部６ｂの背面側に滞留する蒸気は、後方上昇気流３１によって蒸気処理装置１３の吸入口１３ａまで押し上げられて、下方収納部６ｂ内から排気される。尚このとき、後方上昇気流３１は、途中から下方収納部６ｂと配線空間１９を水密に仕切る仕切板２０によってガイドされることによって、蒸気処理装置１３の吸入口１３ａまで蒸気を円滑に案内している。
【００３５】
尚、図５に示すように、載置台９の左右幅は下方収納部６ｂの左右幅よりも短いので、棚板７と載置台９の間に形成されている間隙１０を通過した空気の一部は、左右の側板３，３と、載置台９のスライドレール８，８間を通過する。このとき、蒸気処理装置１３からの吸引力を受けることによって、載置台９の左右側方より上方に向かう本実施例における気流としての側方上昇気流３２，３２が発生する。
【００３６】
このため、電気機器から排出された後に下方収納部６ｂの左右側方に滞留する蒸気は、側方上昇気流３２によって蒸気処理装置１３の吸入口１３ａまで運ばれて、下方収納部６ｂ内から排気される。
【００３７】
上述したように、下方収納部６ｂの正面側からは前方上昇気流３０が、背面側からは後方上昇気流３１が、左右側方からは側方上昇気流３２，３２が、それぞれ蒸気処理装置１３の吸入口１３ａに向けて発生するので、開閉扉２４により下方収納部６ｂを閉塞した状態であっても、下方収納部６ｂ内から蒸気を効果的に排気することができる。
【００３８】
以上、本実施例における家電収納キャビネット１においては、蒸気処理装置の背面側には、蒸気処理装置１３の電源コード１８が収納される配線空間１９が設けられており、配線空間１９と、下方収納部６ｂとは、仕切板２０により着脱自在に仕切られているので、仕切板２０を取り外すことで配線空間１９と下方収納部６ｂを連通させることができるので、蒸気処理装置１３の点検作業等の際に、蒸気処理装置１３を家電収納キャビネット１から取り外すことなく、家電収納キャビネット１の正面側から配線空間１９にアプローチして蒸気処理装置１３の配線部１３ｄの点検作業を行なうことができる。
【００３９】
また、仕切板２０は、キャビネット本体２の背面側に向かって下方に傾斜を成して設けられているので、電気機器より排出されて背面側に滞留している蒸気は、仕切板２０の傾斜に沿って蒸気処理装置１３に誘導されるので、下方収納部６ｂ内背面側での蒸気の滞留を防ぎ、下方収納部６ｂ内の蒸気による結露を減少させることができる。
【００４０】
また、仕切板２０は、キャビネット本体２の背面側に配置された背板５と、蒸気処理装置１３を支持する支持材１４．１４間に取り付けられることで、家電収納キャビネット１の正面側からの仕切板２０の着脱を容易に行うことができる。
【００４１】
また、仕切板２０の外周端縁部には、配線空間１９と下方収納部６ｂ間を水密に仕切るパッキン２１が設けられているので、電気機器から排出される蒸気が仕切板２０を超えて配線空間１９内に浸入することがなくなるので、蒸気処理装置１３の配線部１３ｄが蒸気により故障することを防止することができる。
【００４２】
また、下方収納部６ｂ正面側には、下方収納部６ｂ内に空気を吸入させる第１通気孔２７及び第２通気孔２８が形成された開閉扉２４が設けられているので、開閉扉２４によって下方収納部６ｂが閉塞された状態であっても、蒸気処理装置１３を運転することで、第１通気孔２７及び第２通気孔２８から吸入した空気から上方に向かう前方上昇気流３０と、後方上昇気流３１と、側方上昇気流３２を発生させ、電気機器から排出された蒸気を下方収納部６ｂ外に排気することができる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前記実施例では、仕切板２０によって下方収納部６ｂと配線空間１９を水密に仕切ったが、仕切板２０の左右に把手を取り付けることにより、仕切板２０の着脱操作時に着脱操作を容易に行えるようにしてもよい。
【００４５】
また、前記実施例では、開閉扉２４によって下方収納部６ｂが閉塞された状態で説明したが、下方収納部６ｂを開放することによって下方収納部６ｂ内から蒸気が排気され易くし、配線空間１９に蒸気が浸入し難くなるようにしてもよい。
【００４６】
また、前記実施例では、下方収納部６ｂの上方に蒸気処理装置１３を設け、この蒸気処理装置１３の背面側の配線空間１９と下方収納部６ｂとを仕切る仕切板２０を設けたが、蒸気処理装置１３が設けられるのは上方収納部６ａでもよく、その場合には、仕切板２０は配線空間１９と上方収納部６ａを仕切る。
【図面の簡単な説明】
【００４７】
【図１】本発明の実施例における家電収納キャビネットの全体像を示す斜視図である。
【図２】家電収納キャビネットを示す縦断側面図である。
【図３】開閉扉の下端部を示す要部拡大縦断側面図である。
【図４】下方収納部内での気流の流れを示す縦断側面図である。
【図５】下方収納部の開放状態を示す正面図である。
【図６】下方収納部内での仕切板の着脱を示す縦断側面図である。
【符号の説明】
【００４８】
１                家電収納キャビネット
２                キャビネット本体
５                背板
６                収納部
６ａ              上方収納部
６ｂ              下方収納部
９                載置台
１３              蒸気処理装置
１４              支持材
１７，１８        電源コード
１９              配線空間
２０              仕切板
２１              パッキン（シール部材）
２３              開閉扉
２４              開閉扉
２４ａ            扉板
２７              第１通気孔（通気孔）
２８              第２通気孔（通気孔）
２９              整流板
３０              前方上昇気流（気流）
３１              後方上昇気流（気流）
３２              側方上昇気流（気流）
３３              開閉扉
３３ａ            扉板
３４              棚板
３５              第２通気孔（通気孔）
【図１】
0005175586.tif 000002
【図２】
0005175586.tif 000003
【図３】
0005175586.tif 000004
【図４】
0005175586.tif 000005
【図５】
0005175586.tif 000006
【図６】
0005175586.tif 000007